(57)【要約】【課題】  セクションインシュレータの接続金具からトロリ線断片をを簡易迅速にの抜き取り可能な工具を提供する。【解決手段】 トロリ線断片除去工具１１は、接続金具３に係止される本体１３と、これに螺合されるねじ棒１４とを具備する。本体１３は、トロリ線の延線直交方向両側面に沿う並行一対の係合板１５を具備し、これにボルト８に係合させための一対の係合凹部１５ａを具備する。係合板１５は、一端側で端板１６により連結され、端板１６のねじ孔１８にねじ棒１４が螺挿される。ねじ棒１４の先端側は、接続金具３に残置されているトロリ線断片の切断側端に当接し、他端部に回転用の工具掛け部２０を有する。ねじ棒１４を螺進させて、トロリ線断片を挿通孔６の上方へ押し出す。【選択図】図２
2008012991.tif 000002
【特許請求の範囲】
【請求項１】
トロリ線の延線直交方向水平に貫通する貫通ボルトを具備し、上下方向に傾斜して貫通する挿通孔に挿通されたトロリ線の端部を、当該挿通孔に上端側から押し込まれたクサビ部材により把持しているセクションインシュレータの接続金具から、切断されて接続金具に残置された前記トロリ線端部の断片を取り外すための工具であって、
前記接続金具に係止される本体と、この本体に螺合され本体が接続金具に係止された状態において、接続金具に残置されている前記トロリ線断片の切断側端に当接し、トロリ線断片を挿通孔の上方へ押し出すように本体に対して螺進させることができるねじ棒とを具備し、
前記本体は、前記接続金具におけるトロリ線の延線直交方向両側へ突出している前記貫通ボルトに係合させるための一対の係合凹部を具備し、
この係合凹部を前記貫通ボルトに係合させることによって、前記本体を前記接続金具に係合させることを特徴とするセクションインシュレータからのトロリ線断片除去工具。
【請求項２】
前記本体は、トロリ線の延線直交方向両側面に沿う並行一対の係合板を具備し、
前記係合凹部が、前記係合板に設けられることを特徴とする請求項１に記載のセクションインシュレータからのトロリ線断片除去工具。
【請求項３】
前記本体は、トロリ線の延線直交方向両側面に沿うように伸びる並行一対の係合板と、これら係合板の延長方向一端側を結合する端板とを具備し、
前記端板は、前記ねじ棒を前記一対の係合板間に、当該係合板の延長方向に伸びるように螺挿させるねじ孔を有し、
前記ねじ棒は、前記一対の係合板間に配置される先端部に、前記トロリ線断片の切断側端を受け入れる受け部材を有し、他端部に回転用の工具掛け部を有することを特徴とする請求項２に記載のセクションインシュレータからのトロリ線断片除去工具。
【発明の詳細な説明】
【技術分野】
【０００１】
この発明は、セクションインシュレータへのトロリ線の接続替え作業において、切断されて接続金具に残置されたトロリ線端部の断片を取り外すための工具でに関する。
【背景技術】
【０００２】
図５において、トロリ線のセクションインシュレータ１は、互いに異なる電源に接続される２つのトロリ線Ｔ１，Ｔ２の端部間を電気的に絶縁しつつ、パンタグラフの連続摺動に支障なく両者を接続する部材であり、両端の接続金具３を絶縁部材２で連結してなる。屈曲されたトロリ線Ｔ１，Ｔ２の端部は、接続金具３を水平に対して傾斜して上下に貫通する挿通孔６に通され、クサビ管４（図２）と、押しナット５で接続金具３に把持され、押しボルト７で抜け止めされる。接続金具３には、トロリ線の延線直交方向水平に貫通するボルト８とイヤ片９によりアークホーン１０が固定される。ボルト８には、接続金具３の両側に位置してカラー１１が装着される。以上の構造のセクションインシュレータが特許文献１に記載されている。
例えば、トロリ線を張り替える場合、旧トロリ線は、接続金具３の近くで切断され、接続金具３に把持されたトロリ線端部の断片が残置される。残置された断片は、真っ直ぐに伸ばされ、押しボルト７を緩め、押しナット５を外した後、ハンマーで下端から叩く等して接続金具３から取り外される。ところが、この時点でセクションインシュレータは固定されていないので、ハンマーで叩く力が有効にトロリ線の断片に伝わらず、断片の抜き取りに手間がかかるし、安全性にも欠けるという問題点がある。
【特許文献１】特開２００２−２０５５７８号公報
【発明の開示】
【発明が解決しようとする課題】
【０００３】
この発明は、上記従来のセクションインシュレータにおける接続金具からのトロリ線断片の抜き取り作業の困難性に鑑みてなされたもので、接続金具からのトロリ線断片の抜き取り作業を簡易迅速かつ安全に行うことができる構造簡単な工具を提供することを課題とする。
【課題を解決するための手段】
【０００４】
上記課題を解決するため、この出願に係る発明においては、セクションインシュレータ１の接続金具３に係止される本体１３と、この本体１３に螺合されるねじ棒１４とを具備させてトロリ線断片除去工具１１を構成する。ねじ棒１４は、本体１３が接続金具３に係止された状態において、接続金具３に残置されているトロリ線断片の切断側端に当接し、これを挿通孔６の上方へ押し出す方向へ本体１３に対して螺進させるように螺合される。本体１３は、接続金具３におけるトロリ線の延線直交方向両側へ突出している貫通ボルト８に係合させための一対の係合凹部１５ａを具備する。
【０００５】
本体１３は、トロリ線の延線直交方向両側面に沿う並行一対の係合板１５を具備するものとし、この係合板１５に、係合凹部１５ａを設けるものとすることができる。
【０００６】
また、本体１３は、トロリ線の延線直交方向両側面に沿うように伸びる並行一対の係合板１５と、これら係合板１５の延長方向一端側を結合する端板１６とを具備するものとし、この端板１６にねじ孔１８を設けて、ねじ棒１４を螺挿し、一対の係合板１５間に配置される先端部に、トロリ線断片の切断側端を受け入れる受け部材１９を設け、他端部に回転用の工具掛け部２０を設けることができる。
【発明の効果】
【０００７】
この出願に係る発明によれば、トロリ線断片の曲がりを伸ばした後、本体１３の凹部１５ａをボルト８に係合させ、ねじ棒１４にレンチを掛けて螺進させることにより、容易にトロリ線断片の切断側端を押し上げ、クサビ管４のクサビ作用を解除して、接続金具３から安全に抜き出すことができるという効果を有する。
【発明を実施するための最良の形態】
【０００８】
図面を参照してこの発明の実施の形態を説明する。図１はトロリ線断片除去工具の斜視図、図２はトロリ線断片除去工具の使用状態の断面図、図３はトロリ線断片除去工具の使用状態の底面図、図４はトロリ線断片除去工具の使用状態の正面図である。
【０００９】
トロリ線断片除去工具１１は、セクションインシュレータ１の接続金具３に係止される本体１３と、この本体１３に螺合されるねじ棒１４とを具備する。
【００１０】
本体１３は、並行一対の係合板１５と、これら係合板１５の延長方向一端側を結合する端板１６と、他端側を結合する連結板２１とを具備する。一対の係合板１５間には接続金具３を挿入可能である。係合板１５に係合凹部１５ａが設けられる。係合凹部１５ａは、接続金具３のボルト８に被挿されたカラー１１に係合させることができる。係合凹部１５ａをボルト８上のカラー１１に係合させた状態で、連結板２１が接続金具３の引留管部３ａに当接することにより、本体１３の図２における時計方向の回転を阻止し、手を離しても本体１３が接続金具３から脱落しないようになっている。
【００１１】
端板１６には、ナット１７を溶着してなるねじ孔１８が設けられ、これにねじ棒１４が螺挿される。ねじ棒１４の先端側は、一対の係合板１５間をこれと平行に伸びる。ねじ棒１４の先端には、本体１３が接続金具３に係止された状態において、接続金具３に残置されているトロリ線断片Ｔ１の切断側端を受け入れる受け部材１９が設けられる。ねじ棒１４の他端部には、回転用のレンチを掛けるための工具掛け部２０が設けられる。
【００１２】
トロリ線断片を接続金具３から抜き出すには、トロリ線断片の曲がりを伸ばした後、本体の凹部１５ａをアークホーン把持用ボルト８に係合させ、ねじ棒１４にレンチを掛けて螺進させることにより、容易にトロリ線断片の切断側端を押し上げて、接続金具３から抜き出すことができる。
【産業上の利用可能性】
【００１３】
この発明は、セクションインシュレータへのトロリ線の接続替え作業において、切断されて接続金具に残置されたトロリ線端部の断片を取り外すための工具に適用される。
【図面の簡単な説明】
【００１４】
【図１】本発明に係るトロリ線断片除去工具の斜視図である。
【図２】本発明に係るトロリ線断片除去工具の使用状態の断面面図である。
【図３】本発明に係るトロリ線断片除去工具の使用状態の底面面図である。
【図４】本発明に係るトロリ線断片除去工具の使用状態の正面図である。
【図５】セクションインシュレータの正面図である。
【符号の説明】
【００１５】
１      セクションインシュレータ
２      絶縁部材
３      接続金具
４      クサビ管
５      押しナット
６      押しボルト
７      挿通孔
８      アークホーン把持用ボルト
９      イヤ片
１１    アークホ−ン
１２    カラー
１１    トロリ線断片除去工具
１３    本体
１４    ねじ棒
１５    係合板
１６    端板
１７    ナット
１８    ねじ孔
１９    受け部材
２０    工具掛け部
Ｔ１    トロリ線
Ｔ２    トロリ線
【図１】
2008012991.tif 000003
【図２】
2008012991.tif 000004
【図３】
2008012991.tif 000005
【図４】
2008012991.tif 000006
【図５】
2008012991.tif 000007